(57)【要約】  【課題】本発明は、メニュー選択画面からのアイコンの選択を容易にすることが可能な携帯通信端末を提供することを目的とする。  【解決手段】方向数が複数の方向キーを有する操作部１０５と表示部１０６を備える携帯電話機１００であって、メニューを選択するための複数のアイコンを、アイコン数が前記方向数よりも多くないアイコングループにグループ分けし、グループ分けした各アイコングループを位置情報と対応付けて記憶する記憶部１０７と、前記方向キーの操作により位置情報が変更される毎に、当該位置情報に対応付けられているアイコングループを選択対象アイコングループとして識別できる表示態様で表示させ、選択対象アイコングループに含まれるアイコンの中から、前記方向キーの操作により選択すべきアイコンを選択する制御部１０３とを備える。  【選択図】 図１
2005202852.tif 000002
【特許請求の範囲】
【請求項１】
方向数が複数の方向キーを有する操作部と表示部とを備える携帯通信端末であって、
メニューを選択する複数のアイコンを、アイコン数が前記方向数よりも多くないアイコングループに予めグループ分けし、グループ分けした各アイコングループを位置情報と対応付けて記憶する記憶手段と、
前記方向キーの操作により位置情報が変更される毎に、変更された位置情報に対応付けられているアイコングループを選択対象アイコングループとして識別できる表示態様で表示させる選択対象表示手段と、
選択対象アイコングループに含まれるアイコンの中から、前記方向キーの操作により選択すべきアイコンを選択するアイコン選択手段と
を備えることを特徴とする携帯通信端末。
【請求項２】
前記方向キーは、上下左右の各方向キーより構成され、各方向キーは十字形の各頂点に位置するように前記操作部上に配置され、
前記操作部は、選択対象アイコングループを確定するための確定キーを有し、
前記アイコン選択手段は、
選択対象アイコングループを前記操作部における確定キーの操作により確定する確定手段と、
確定したアイコングループに含まれる各アイコンを、前記操作部における各方向キーの配置に対応するように十字形の各頂点に配置して前記表示部の表示領域に表示させるアイコン表示手段と
を有し、
前記アイコン選択手段は、前記表示領域に表示されたアイコンの中から、前記方向キーの操作により選択すべきアイコンを選択する
ことを特徴とする請求項１記載の携帯通信端末。
【請求項３】
前記記憶手段は、前記複数のアイコンを、前記方向数と同数のアイコンを含む第１アイコングループと、前記方向数よりも少ない数のアイコンを含む第２アイコングループとに予めグループ分けし、グループ分けした第１又は第２アイコングループと、前記方向キー操作により指定される位置情報と対応付けて記憶し、
前記確定手段は、選択対象アイコングループが、第１アイコングループか、第２アイコングループかを判定する判定手段を有し、
前記確定手段は、選択対象アイコングループが第１アイコングループである場合に、選択対象アイコングループを前記操作部における確定キーの操作により確定し、
前記アイコン表示手段は、選択対象アイコングループが第２アイコングループである場合に、当該第２アイコングループに含まれる各アイコンを、当該第２アイコングループに含まれる数の方向キーの前記操作部における各配置に対応するように十字形の各頂点に配置して前記表示部の表示領域に表示させる
ことを特徴とする請求項２記載の携帯通信端末。
【発明の詳細な説明】
【技術分野】
【０００１】
本発明は、携帯通信端末に関し、特にアイコン表示メニューからアイコンを容易に選択するための技術に関する。
【背景技術】
【０００２】
近年、携帯電話機やＰＤＡ（Personal Digital Assistant）などの携帯通信端末は、機能が多機能化し、ユーザーは、携帯通信端末に所望の機能を実行させるために、メニュー選択画面から所望の機能を実行するメニューを操作部の方向キーを操作して選択する。メニュー選択画面の各メニューは、ユーザーが一目でメニューの内容が理解できるように、アイコンで表示され、これにより、ユーザーは、簡易に所望の機能を実行するメニューを特定し、選択することができる。
【０００３】
一方、携帯通信端末の機能の多機能化によりメニュー選択画面に多くのアイコンが同時に表示されると、表示される各アイコンが小さくなり、アイコンの内容の認識が困難になるという問題が生じる。この問題点を解消するための技術として、特許文献１には、他のアイコンを見えなくすることなく、カーソル表示したアイコンを拡大表示する技術が開示されている。
【０００４】
これにより、選択するメニューの内容を示すアイコンの数が多い場合においても、ユーザーは、アイコンの内容を容易に認識することができる。
【特許文献１】特開2002-261918
【発明の開示】
【発明が解決しようとする課題】
【０００５】
しかしながら、上記従来技術においては、ユーザーは、所望の機能を実行するメニューを表示するアイコンを選択するために、操作部の方向キーの操作を繰り返して当該アイコンのところまで選択アイコンを示す表示を移動させる必要があるため、メニュー選択画面に表示されるアイコンの数が多い場合には、所望のアイコンを選択するのに手間がかかるという問題が生じる。
【０００６】
本発明は、上記問題点に鑑みてなされたものであり、メニュー選択画面からのアイコンを容易に選択することが可能な携帯通信端末を提供することを目的とする。
【課題を解決するための手段】
【０００７】
上記課題を解決するために、本発明は、方向数が複数の方向キーを有する操作部と表示部とを備える携帯通信端末であって、メニューを選択する複数のアイコンを、アイコン数が前記方向数よりも多くないアイコングループに予めグループ分けし、グループ分けした各アイコングループを位置情報と対応付けて記憶する記憶手段と、前記方向キーの操作により位置情報が変更される毎に、変更された位置情報に対応付けられているアイコングループを選択対象アイコングループとして識別できる表示態様で表示させる選択対象表示手段と、選択対象アイコングループに含まれるアイコンの中から、前記方向キーの操作により選択すべきアイコンを選択するアイコン選択手段とを備える。
【発明の効果】
【０００８】
本発明は、上記の構成を備えることにより、複数のアイコンが含まれるアイコングループ単位で選択対象となるアイコンを表示できるので、ユーザーは、少ない方向キー操作で簡易に所望のアイコンが含まれるアイコングループを選択でき、又、各アイコングループに含まれるアイコン数は、１回の方向キー操作で選択可能な数を超えないように調整されているので、ユーザーは、アイコングループ選択後、１回の方向キー操作により所望のアイコンを選択することができる。
【０００９】
ここで、前記方向キーは、上下左右の各方向キーより構成され、各方向キーは十字形の各頂点に位置するように前記操作部上に配置され、前記操作部は、選択対象アイコングループを確定するための確定キーを有し、前記アイコン選択手段は、選択対象アイコングループを前記操作部における確定キーの操作により確定する確定手段と、確定したアイコングループに含まれる各アイコンを、前記操作部における各方向キーの配置に対応するように十字形の各頂点に配置して前記表示部の表示領域に表示させるアイコン表示手段とを有し、前記アイコン選択手段は、前記表示領域に表示されたアイコンの中から、前記方向キーの操作により選択すべきアイコンを選択することとしてもよい。
【００１０】
これにより、選択対象アイコングループを確定した後、当該選択対象アイコングループに含まれる各アイコンが、操作部における各方向キーの配置に対応するように、表示部の表示領域に表示されるので、ユーザーは、表示部の表示されたアイコンの配置に従って、容易に所望のアイコンを選択するための方向キーを特定し、当該方向キーの操作により、所望のアイコンを選択することができ、方向キーの選択を誤って別のアイコンを選択してしまうという間違いが起こるのを有効に防止することができる。
【００１１】
ここで、前記記憶手段は、前記複数のアイコンを、前記方向数と同数のアイコンを含む第１アイコングループと、前記方向数よりも少ない数のアイコンを含む第２アイコングループとに予めグループ分けし、グループ分けした第１又は第２アイコングループと、前記方向キー操作により指定される位置情報と対応付けて記憶し、前記確定手段は、選択対象アイコングループが、第１アイコングループか、第２アイコングループかを判定する判定手段を有し、前記確定手段は、選択対象アイコングループが第１アイコングループである場合に、選択対象アイコングループを前記操作部における確定キーの操作により確定し、
前記アイコン表示手段は、選択対象アイコングループが第２アイコングループである場合に、当該第２アイコングループに含まれる各アイコンを、当該第２アイコングループに含まれる数の方向キーの前記操作部における各配置に対応するように十字形の各頂点に配置して前記表示部の表示領域に表示させることとしてもよい。
【００１２】
これにより、アイコングループ選択後、当該アイコングループに含まれるアイコンの選択が１回の方向キー操作で可能な最大数のアイコン単位で、携帯通信端末の有する各アイコンを第１アイコングループとしてグループ分けしてゆき、第１アイコングループとしてグループ分けできない端数の各アイコンを第２アイコングループとしてグループ分けすることができるので、選択対象となるアイコンが多い場合においても、選択対象となるアイコングループの数を最小限に抑えることができ、効率的に所望のアイコンが含まれるアイコングループを選択することができる。
【００１３】
又、端数のアイコンが含まれる第２アイコングループが選択対象となっている場合には、ユーザーの確定キー操作により選択対象を確定することなく、直接、ユーザーの方向キー操作により選択対象となっている第２アイコングループに含まれる所望のアイコンを選択することができるので、その分、アイコン選択のためのキー操作を少なくすることができる。
【発明を実施するための最良の形態】
【００１４】
＜構成＞
図１は、本発明の実施の形態における携帯通信端末、具体的には携帯電話機１００の構成を示す機能ブロック図である。携帯電話機１００は、図１に示す通り、アンテナ１０１、無線部１０２、制御部１０３、音声処理部１０４、操作部１０５、表示部１０６、記憶部１０７、スピーカー１０８、マイク１０９から構成される。
【００１５】
無線部１０２は、アンテナ１０１を介して入力された、通信電波を通信データに復調処理して、制御部１０４に出力し、制御部１０４より入力される通信データを変調処理し、通信電波としてアンテナ１０１を介して基地局に送信する。
ここで、「通信データ」とは、通話の音声データ、文字データ、画像データなどのことをいう。
【００１６】
音声処理部１０４は、制御部１０３より入力された音声データをＤ／Ａ変換して音声信号を生成し、スピーカー１０８に出力し、マイク１０９から入力された音声信号をＡ／Ｄ変換して音声データを生成し、制御部１０３に出力する。
操作部１０５は、各種入力キーから構成され、入力キーを介してユーザーからの各種指示を受取り、制御部１０３に出力する。
【００１７】
図２は、操作部１０５における入力キーの構成の具体例を示す図である。操作部１０５は、選択確定キー１０５１、通話開始キー１０５２、通話終了キー１０５３、方向キー部１０５４、テンキー部１０５５とから構成される。
なお、図２は、操作部１０５の入力キー構成の一例を示したものであり、操作部１０５の入力キー構成は、図２の例に限定されず、他の構成であってもよい。例えば、入力キーの配置は、図２の具体例とは異なる配置であってもよいし、方向キー部１０５４に含まれる方向キーの種類は４種類に限らず、４種類以上であってもよいし、４種類よりも少ない複数種類であってもよい。
【００１８】
選択確定キー１０５１は、携帯電話機１００の各種機能を実行するためのプログラムを選択するためのメニュー選択画面を表示させたり、メニュー選択画面から選択するメニューグループを確定するためのキーである。
ここで、「メニューグループ」とは、メニュー選択画面において、各メニューによって実現される機能の内容をイメージ化したＧＵＩ（Graphic User Interface）であるアイコンを複数含む、表示部１０６の表示領域の一部を構成する区画領域のことをいい、メニュー選択時において当該区画領域単位で複数のアイコンが選択される。
【００１９】
図３(a)は、携帯電話機１００が待受け状態にある場合に、選択確定キー１０５１が押下された場合に表示部１０６に表示されるメニュー選択画面の具体例を示す。図３(a)の示す各数字は、プログラムの実行によって実現される各機能の内容をイメージで表したアイコンを表し（ここでは、説明の便宜上、アイコンを数字で表している。）、図３(a)の１、２、６、７のアイコンを囲む四角形は、反転表示された、選択されているメニューグループ（以下、「選択グループ」という。）を表す。
【００２０】
選択グループは、後述する方向キー部１０５４に含まれる各方向キー押下に応じて、図３(b)、図３(c)のようにメニュー選択画面上を移動し、選択確定キー１０５１の押下により選択グループが確定される。
例えば、図３(c)に示す選択グループの位置で、選択確定キー１０５１が押下されると、後述する制御部１０３によるアイコン選択処理により、図３(d)に示すアイコン選択画面が表示部１０６に表示される。
【００２１】
通話キー１０５２は、電話番号を外部に発信する際や、外部から着信があったときに着信に応答する際に押下されるキーである。
通話終了キー１０５３は、通話の終了指示を制御部１０３に入力したり、電源のオンとオフの指示を制御部１０３に入力するためのキーである。
方向キー部１０５４は、上方向キー１０５４１、下方向キー１０５４３、右方向キー１０５４２、左方向キー１０５４４の４種類の方向キーから構成される。上方向キー１０５４１、下方向キー１０５４３、右方向キー１０５４２、左方向キー１０５４４の各方向キーは、図２に示すように、十字形の各頂点の位置に配置されている。
【００２２】
上方向キー１０５４１は、メニュー選択画面に表示された選択グループを上方向に移動させるためのキーであり、具体的には後述する指定位置座標のＹ座標を所定値だけ増加させる指示を制御部１０３に入力するためのキーである。
下方向キー１０５４３は、メニュー選択画面に表示された選択グループを下方向に移動させるためのキーであり、具体的には後述する指定位置座標のＹ座標を所定値だけ減少させる指示を制御部１０３に入力するためのキーである。
【００２３】
右方向キー１０５４２は、メニュー選択画面に表示された選択グループを右方向に移動させるためのキーであり、具体的には、後述する指定位置座標のＸ座標を所定値だけ増加させる指示を制御部１０３に入力するためのキーである。
左方向キー１０５４４は、メニュー選択画面に表示された選択グループを左方向に移動させるためのキーであり、後述する指定位置座標のＸ座標を所定値だけ減少させる指示を制御部１０３に入力するためのキーである。
【００２４】
又、上記各方向キーは、アイコン選択画面から所望のアイコンの選択指示を制御部１０３に入力するためのキーである。
テンキー部１０５４５は、電話番号や文字入力をするためのテンキーから構成される。
表示部１０６は、制御部１０３から指定されるアイコンの表示領域及びアイコンパターンに関する情報に基いて各アイコンを所定の表示領域に表示し、又、制御部１０３の指定する表示領域を反転表示して、選択グループを表示する。
【００２５】
記憶部１０７は、アイコン管理テーブル１０７１、割当区画管理テーブル１０７２、及び選択アイコン表示位置情報１０７３を記憶している。
ここで、「アイコン管理テーブル１０７１」とは、メニュー選択画面に表示される各アイコンの識別子と、Ｘ座標とＹ座標の座標範囲によって示される当該アイコンの表示領域と、当該アイコンのイメージ画像データを示すアイコンパターンと、当該アイコンが属する割当区画番号と、当該アイコンが属する割当区画グループ番号と、当該アイコンの指定表示状態との対応関係を示すテーブルのことをいう。
【００２６】
ここで、「割当区画番号」とは、メニュー選択画面に表示されている各複数（方向キーの示す方向数（ここでは、４）を超えない、同数とは限らない各複数）のアイコンに割当てられる、メニュー選択画面における区画領域（以下、「割当区画領域」という。）を識別するための番号のことをいう。
又、「割当区画グループ番号」とは、割当区画領域のメニュー選択画面における配置が特定の位置、具体的には割当区画領域のＸ座標範囲又はＹ座標範囲が特定の範囲にあるか否かを識別するための番号のことをいう。
【００２７】
又、「指定表示状態」とは、対応付けられているアイコンの表示状態を指定するための表示状態指定情報のことをいい、具体的には、「反転表示」と「通常表示」の何れかを指定する情報のことをいう。
ここで、「反転表示」とは、通常表示における文字色と背景色を逆に表示することをいう。
【００２８】
図４は、アイコン管理テーブル１０７１の具体例を示す。図４のアイコン管理テーブル１０７１には、図３(a)に示すメニュー選択画面を表示させるための情報が記述されている。
具体的には、表示部１０６は、図４のアイコン管理テーブル１０７１の示すアイコンパターン及当該アイコンパターンの表示領域を示す座標範囲に基づいて、図３(a)に示すように、アイコン１〜２４をアイコン管理テーブル１０７１によって指定される表示領域（例えば、アイコン１は、「（０，０）―（Ｘ１，Ｙ１）」で示される座標範囲、すなわちＸ座標が０からＸ１までの座標範囲、Ｙ座標が０からＹ１までの座標範囲の表示領域、同様にアイコン２は、Ｘ座標がＸ１からＸ２までの座標範囲、Ｙ座標が０からＹ１までの座標範囲）に表示し、アイコン管理テーブル１０７１の示す各アイコンの指定表示状態に基づいて、アイコン１、２、５、６を反転表示し、その他のアイコンを通常表示する。
【００２９】
又、「割当区画管理テーブル１０７２」とは、指定位置座標と割当区画番号と割当区画グループ番号との対応関係を示すテーブルのことをいう。
ここで、「指定位置座標」とは、操作部１０５の各方向キー（上方向キー１０５４１、下方向キー１０５４３、右方向キー１０５４２、左方向キー１０５４４）押下に応じて制御部１０３に対して指定されるメニュー選択画面における位置座標のことをいい、具体的には、初期状態（メニュー選択画面表示後、ユーザーによって最初に方向キーの入力が操作部１０５から行なわれる前）においては、指定位置座標は、初期値（ここでは、（０，０））に設定され、その後、下方向キー１０５３押下に応じて、Ｙ座標が所定値だけ増加され、上方向キー１０５１押下に応じて、Ｙ座標が所定値だけ減少され、右方向キー１０５２押下に応じてＸ座標が所定値だけ増加され、左方向キー１０５４押下に応じて所定値だけ減少される。
【００３０】
ここで、各所定値は、同じ値としてもよいし、増加又は減少直前のＸ座標又はＹ座標に応じて変動することとしてもよい。
図５は、割当区画管理テーブル１０７２の具体例を示す。
ここでは、指定位置座標のＸ座標は、初期状態では初期値である０を示し、Ｘ座標が初期値である場合に、右方向キー１０５２が押下されると、指定位置座標のＸ座標はＸ２だけ増加され、Ｘ座標がＸ２である場合に、右方向キー１０５２が押下されると、Ｘ座標は、（Ｘ４−Ｘ２）だけ増加され（Ｘ４＞Ｘ２とする。）、Ｘ座標がＸ４である場合には、右方向キー１０５２が押下されてもＸ座標は、増減しないように設定され、Ｘ座標がＸ４である場合に、左方向キー１０５４が押下されると、Ｘ座標は、（Ｘ４−Ｘ２）だけ減少され、Ｘ座標がＸ２である場合に、左方向キー１０５４が押下されると、Ｘ座標はＸ２だけ減少され、Ｘ座標が初期値である場合に、左方向キー１０５４が押下されてもＸ座標は増減しないよう設定されているものとする。
【００３１】
又、指定位置座標のＹ座標は、初期状態では初期値である０を示し、Ｙ座標が初期値である場合に、下方向キー１０５３が押下されると、指定位置座標のＹ座標はＹ２だけ増加され、Ｙ座標がＹ２である場合に、下方向キー１０５３が押下されると、Ｙ座標は、（Ｙ４−Ｙ２）だけ増加され（Ｙ４＞Ｙ２とする。）、Ｙ座標がＹ４である場合には、下方向キー１０５３が押下されてもＹ座標は、増減しないように設定され、Ｙ座標がＹ４である場合に、上方向キー１０５１が押下されると、Ｙ座標は、（Ｙ４−Ｙ２）だけ減少され、Ｙ座標がＹ２である場合に、上方向キー１０５１が押下されると、Ｙ座標はＹ２だけ減少され、Ｙ座標が初期値である場合に、上方向キー１０５１が押下されてもＹ座標は増減しないよう設定されているものとする。
【００３２】
又、「選択アイコン表示位置情報１０７３」とは、アイコン選択画面において表示する選択対象アイコンの表示領域を指定するための情報のことをいい、具体的には、割当区画グループ番号と割当区画番号と割当区画番号の割当区画領域に割当てられた各選択対象アイコンの表示領域との対応関係を示すテーブルのことをいう。
選択アイコン表示位置情報１０７３において、各選択対象アイコンの表示領域は、アイコン選択画面における各選択対象アイコンが、操作部１０５における各方向キー（上方向キー１０５４１、下方向キー１０５４３、右方向キー１０５４２、左方向キー１０５４４）の配置に対応するように十字形の各頂点に相当する配置となるように指定される。
【００３３】
図６は、選択アイコン表示位置情報１０７３の具体例を示す。図６に示す選択アイコン表示位置情報１０７３に基いて、図３(d)〜図３(f)に示すアイコン選択画面が表示される。
具体的には、制御部１０３は、後述するメニュー選択処理において、図３(c)に示す状態で、選択グループが選択確定キー１０５１押下により確定された場合には、図５の割当区画管理テーブル１０７２を参照して確定時の指定位置座標（Ｘ２，Ｙ２）に対応する割当区画グループ番号１及び割当区画番号４を特定し、さらに図６の選択アイコン表示位置情報１０７３を参照して特定した割当区画グループ番号１及び割当区画番号４に対応する表示領域、（Ｘ１，０）−（Ｘ２，Ｙ１）、（Ｘ２，Ｙ１）−（Ｘ３，Ｙ２）、（Ｘ１，Ｙ２）−（Ｘ２，Ｙ３）、（０，Ｙ１）−（Ｘ１，Ｙ２）を特定し、さらに、図４のアイコン管理テーブル１０７１を参照して特定した割当区画グループ番号１及び割当区画番号４に対応する選択対象アイコン１３、１４、１８、１９を選択し、選択した各アイコンを特定した各表示領域に図３(d)に示すようにそれぞれ表示させる。
【００３４】
又、図３(c)に示す状態で、下方向キー１０５４３押下により指定位置座標のＹ座標が（Ｙ４−Ｙ２）だけ増加された場合には、制御部１０３は、図５の割当区画管理テーブル１０７２を参照してＹ座標増加後の指定位置座標（Ｘ２，Ｙ４）に対応する割当区画グループ番号２及び割当区画番号８を特定し、特定した割当区画グループ番号が割当区画番号８に対応する割当区画領域のＸ座標範囲又はＹ座標範囲が特定の範囲にあることを示している場合（ここでは、割当区画グループ番号が「２」の場合）、さらに図６の選択アイコン表示位置情報１０７３を参照して特定した割当区画グループ番号２及び割当区画番号８に対応する表示領域、（Ｘ２，Ｙ１）−（Ｘ３，Ｙ２）、（０，Ｙ１）−（Ｘ１，Ｙ２）を特定し、さらに、図４のアイコン管理テーブル１０７１を参照して特定した割当区画グループ番号２及び割当区画番号８に対応する選択対象アイコン２３、２４を選択し、選択した各アイコンを特定した各表示領域に図３(f)に示すようにそれぞれ表示させる。
【００３５】
又、図３(c)に示す状態で、右方向キー１０５４２押下により指定位置座標のＸ座標が（Ｘ４−Ｘ２）だけ増加された場合には、制御部１０３は、図５の割当区画管理テーブル１０７２を参照してＸ座標増加後の指定位置座標（Ｘ４，Ｙ２）に対応する割当区画グループ番号２及び割当区画番号６を特定し、特定した割当区画グループ番号が割当区画番号６に対応する割当区画領域のＸ座標又はＹ座標が特定の範囲にあることを示しているので、さらに図６の選択アイコン表示位置情報１０７３を参照して特定した割当区画グループ番号２及び割当区画番号６に対応する表示領域、（Ｘ１，０）−（Ｘ２，Ｙ１）、（Ｘ１，Ｙ２）−（Ｘ２，Ｙ３）を特定し、さらに、図４のアイコン管理テーブル１０７１を参照して特定した割当区画グループ番号２及び割当区画番号６に対応する選択対象アイコン１５、２０を選択し、選択した各アイコンを特定した各表示領域に図３(e)に示すようにそれぞれ表示させる。
【００３６】
制御部１０３は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行う。
又、ＲＯＭには、メニュー選択プログラムが記録されており、制御部１０６は、当該メニュー選択プログラムを起動して、実行することにより、以下のメニュー選択処理を行う。
＜動作＞
図７は、制御部１０３の行なうメニュー選択処理の動作を示すフローチャートである。以下、図７のフローチャートを参照して、上記動作について説明する。
【００３７】
制御部１０３は、操作部１０５の選択確定キー１０５１押下を介して、ユーザーからのメニュー選択プログラム起動指示を受取ると、ＲＯＭからメニュー選択プログラムを読出し、メニュー選択プログラムを起動し（ステップＳ７０１）、記憶部１０７に記憶されているアイコン管理テーブル１０７１及び割当区画管理テーブル１０７２を読出し、割当区画管理テーブル１０７２に基づいて、初期状態の指定位置座標に対応する割当区画番号を特定し、アイコン管理テーブル１０７１において、特定した割当区画番号に対応するアイコンの指定表示状態を反転表示とし、その他のアイコンの指定表示状態を通常表示とし、表示部１０６に、アイコン管理テーブル１０７１の示す各アイコンのアイコンパターン、当該アイコンの表示領域及び指定表示状態に従って、各アイコンをメニュー選択画面に表示させ（ステップＳ７０２）、メニュー選択画面に表示されている選択グループが確定されたか否かを選択確定キー１０５１の押下が検出されたか否かにより判定する（ステップＳ７０３）。
【００３８】
選択グループが確定されていない場合（ステップＳ７０３：Ｎ）、操作部１０５の何れかの方向キー押下が検出されたか否かを判定する（ステップＳ７０４）。
何れかの方向キー押下が検出された場合（ステップＳ７０４：Ｙ）、制御部１０３は、割当区画管理テーブル１０７２を参照して、当該方向キーによって指定された指定位置座標に対応する割当区画グループ番号を特定し、特定した割当区画グループ番号に基づいて、当該指定位置座標に対応する割当区画領域のＸ座標範囲又はＹ座標範囲が特定の範囲にあるか否かにより、他の選択グループが選択されたか否かを判定する（ステップＳ７０５）。具体的には、当該割当区画グループ番号が当該指定位置座標に対応する割当区画領域のＸ座標範囲又はＹ座標範囲が特定の範囲にあることを示している場合に、他の選択グループが選択されたと判定し、そうでない場合に、当該方向キーによる指示がアイコン選択画面の表示指示であると判定する。
【００３９】
他の選択グループが選択されていない場合（ステップＳ７０５：Ｎ）、制御部１０３はさらに、押下された方向キーが下方向キー１０５４３であるか否かを判定する（ステップＳ７０６）。
下方向キー１０５４３である場合（ステップＳ７０６：Ｙ）、制御部１０３は、アイコン管理テーブル１０７１から、当該下方向キー１０５４３によって指定された指定位置座標に対応する割当区画番号の割当区画領域に割当てられたアイコンを選択し、選択アイコン表示位置情報１０７３を参照して当該指定位置座標の属する割当区画グループ番号及び割当区画番号に対応する表示領域を表示部１０６に指定し、操作部１０５における右方向キー１０５４２、左方向キー１０５４４のそれぞれの配置に対応する所定の表示領域に表示させ（ステップＳ７０７）、右方向キー１０５４２又は左方向キー１０５４４を介して、表示されたアイコンの中からのアイコン選択指示をユーザーから受取ると（ステップＳ７０８）、選択されたアイコンによって特定されるプログラムを起動する（ステップＳ７０９）。
【００４０】
押下された方向キーが、下方向キー１０５４３でない場合（右方向キー１０５４２である場合）（７０６：Ｎ）、制御部１０３は、アイコン管理テーブル１０７１から、当該右方向キー１０５４２によって指定された指定位置座標に対応する割当区画番号の割当区画領域に割当てられたアイコンを選択し、選択アイコン表示位置情報１０７３を参照して当該指定位置座標の属する割当区画グループ番号及び割当区画番号に対応する表示領域を表示部１０６に指定し、操作部１０５における上方向キー１０５４１、下方向キー１０５４３のそれぞれの配置に対応する所定の表示領域に表示させ（ステップＳ７１１）、上方向キー１０５４１又は下方向キー１０５４３を介して、表示されたアイコンの中からのアイコン選択指示をユーザーから受取ると（ステップＳ７１２）、選択されたアイコンによって特定されるプログラムを起動する（ステップＳ７０９）。
【００４１】
ステップＳ７０３において、選択グループが確定された場合（ステップＳ７０３：Ｙ）、制御部１０３は、割当区画管理テーブル１０７２を参照して確定時の指定位置座標に対応する割当区画グループ番号及び割当区画番号を特定し、アイコン管理テーブル１０７１から、特定した割当区画番号の割当区画領域に割当てられた各アイコンを選択し、さらに選択アイコン表示位置情報１０７３を参照して特定した割当区画グループ番号及び割当区画番号に対応する表示領域を表示部１０６に指定し、操作部１０５における上方向キー１０５４１、下方向キー１０５４３、右方向キー１０５４２、左方向キー１０５４４のそれぞれの配置に対応する所定の表示領域に選択した各アイコンを表示させ（ステップＳ７１３）、上方向キー１０５４１、下方向キー１０５４３、右方向キー１０５４２、左方向キー１０５４４の何れかを介して、表示されたアイコンの中からのアイコン選択指示をユーザーから受取ると（ステップＳ７１４）、選択されたアイコンによって特定されるプログラムを起動する（ステップＳ７０９）。
【００４２】
ステップＳ７０４において、何れの方向キー押下も検出されない場合（ステップＳ７０４：Ｎ）、制御部１０３は、ステップＳ７０３の処理に移行する。
ステップＳ７０５において、他の選択グループが選択された場合（ステップＳ７０５：Ｙ）、制御部１０３は、アイコン管理テーブル１０７１を参照して方向キーによって指定された指定位置座標に対応する割当区画番号に対応するアイコンの指定表示状態を反転表示とし、その他のアイコンの指定表示状態を通常表示とする指定を表示部１０６に行なうことにより、表示部１０６に新たに選択された選択グループを識別可能となるように反転表示させる（ステップＳ７１０）。
【００４３】
＜補足＞
以上、本発明に係る携帯電話機１００について、実施の形態に基づいて説明したが、本発明はこれら実施の形態に限られないことは勿論である。
（１）例えば、本実施の形態においては、選択グループに含まれるアイコンの数は、４つとしたが、選択グループに含まれるアイコンの数は、操作部１０５の有する方向キーの数よりも多くない、複数個であればよい。又、操作部１０５の有する方向キーの数は、本実施の形態では４つとしたが、４つ以上であってもそれ以下であってもよい。
（２）又、本実施の形態においては、選択グループに含まれるアイコンの数は、同数としたが、選択グループに含まれるアイコンの数は異なる数であってもよい。又、選択グループの中の一部の選択グループは、１つのアイコンのみを含むこととしてもよい。
（３）又、本実施の形態においては、隣接するアイコンを選択グループとして反転表示することとしたが、アイコン管理テーブル１０７１において、隣接しない所定の表示領域にある複数のアイコンを同一の割当区画番号に対応付けることにより、隣接しない複数のアイコンを選択グループとして反転表示することとしてもよい。
（４）又、本実施の形態においては、アイコン管理テーブル１０７１において、選択グループとして選択されているアイコンの指定表示状態を反転表示とし、その他のアイコンの指定表示状態を通常表示としたが、選択グループに含まれるアイコンがその他のアイコンと識別できる表示態様であれば、アイコン管理テーブル１０７１において、他の指定表示状態を指定することとしてもよい。例えば、選択グループとして選択されているアイコンの指定表示状態を通常又は反転表示とし、その他のアイコンの指定表示状態を非表示とすることとしてもよい。
（５）又、本実施の形態においては、アイコン選択画面における各選択対象アイコンを操作部１０５における各方向キーに対応する配置になるように表示部１０６の表示領域に表示することとしたが、各選択対象アイコンをさらに拡大して表示することとしてもよい。
【産業上の利用可能性】
【００４４】
携帯通信端末において、アイコン表示メニューからアイコンを容易に選択するための技術として利用できる。
【図面の簡単な説明】
【００４５】
【図１】本発明の実施の形態における携帯電話機１００の構成を示す機能ブロック図である。
【図２】操作部１０５における入力キーの構成の具体例を示す図である。
【図３】表示部１０６に表示されるメニュー選択画面の具体例を示す。
【図４】アイコン管理テーブル１０７１の具体例を示す。
【図５】割当区画管理テーブル１０７２の具体例を示す。
【図６】選択アイコン表示位置情報１０７３の具体例を示す。
【図７】制御部１０３の行なうメニュー選択処理の動作を示すフローチャートである。
【符号の説明】
【００４６】
１００    携帯電話機
１０１    アンテナ
１０２    無線部
１０３    制御部
１０４    音声処理部
１０５    操作部
１０６    表示部
１０７    記憶部
１０５１  選択確定キー
１０５２  通話開始キー
１０５３  通話終了キー
１０５４  方向キー部
１０７１  アイコン管理テーブル
１０７２  割当区画管理テーブル
１０７３  選択アイコン表示位置情報
１０５４１  上方向キー
１０５４２  右方向キー
１０５４３  下方向キー
１０５４４  左方向キー
【図１】
2005202852.tif 000003
【図２】
2005202852.tif 000004
【図３】
2005202852.tif 000005
【図４】
2005202852.tif 000006
【図５】
2005202852.tif 000007
【図６】
2005202852.tif 000008
【図７】
2005202852.tif 000009